(57)【要約】      （修正有）【課題】吊り下げ棒にプラスチックフックを使用せずに商品を吊り下げられ、吊り強度のある安価な紙製吊り下げ口紙を提供する。【解決手段】小売り店頭で靴下等の商品を吊り下げる紙製吊り下げ口紙であり、紙製吊り下げ口紙は、靴下等を前面と背面から保持する前面保持紙片３及び背面保持紙片４からなる保持紙片を備える。保持紙片の前面保持紙片３と背面保持紙片４を吊通紙片６で連結する。吊通紙片６は吊通紙片６の長手方向に対して交差する方向に三本の平行な折目線７、８、９を形成する。折目線７、８、９の両側の四枚の第１、第２、第３、第４の吊通紙片１０、１１、１２、１３の各片に、一側へ開口した吊通溝１４、１５、１６、１７が切り欠き形成されている。三つの折目線７、８、９を順次折り曲げると共に、四枚の吊通紙片１０〜１３を糊着して四つの吊通溝１４〜１７を重ね合わせて一つの吊溝とする。【選択図】図１
0003228942.tif 000002
【実用新案登録請求の範囲】
【請求項１】
小売り店頭で靴下等の商品を吊り下げる紙製吊り下げ口紙であって、前記紙製吊り下げ口紙は、商品を前面と背面から保持する前面保持紙片及び背面保持紙片からなる保持紙片と、前記保持紙片の前面保持紙片と背面保持紙片を連結する吊通紙片からなり、前記吊通紙片は吊通紙片の長手方向に対して交差する方向に三本の平行な折目線を形成し、前記折目線の両側の四枚の吊通紙片の各片に、一側へ開口した吊通溝が切り欠き形成され、前記三つの折目線を順次折り曲げると共に、四枚の吊通紙片を糊着して四つの吊通溝を重ね合わせて一つの吊溝とすることを特徴とする紙製吊り下げ口紙。
【考案の詳細な説明】
【技術分野】
【０００１】  本考案は、小売店頭で商品を吊り下げる紙製吊り下げ口紙で、一枚の板紙で商品を保持する口紙部分と、四重折と同時に糊着した吊り下げ部分を一体化した吊り強度のある安価な紙製吊り下げ口紙に関するものである。
【背景技術】
【０００２】  従来、靴下等の商品を店頭陳列用ディスプレイに取り付けられた吊り下げ棒に吊る時、商品を保持する吊り下げ口紙に関して、（Ａ）板紙を二つ折りにし折り曲げ部上部に丸穴を穿設したもの。（Ｂ）板紙を二つ折りにし折り曲げ部にフック状の釣溝を形成したもの。（Ｃ）板紙を二つ折りにし、折り曲げ部に楕円形の差し込み孔を穿設しプラスチック製フックを取り付けたもの等がある。
【先行技術文献】
【特許文献】
【０００３】
【特許文献１】実用新案登録第３０８１７１０号公報
【考案の概要】
【考案が解決しようとする課題】
【０００４】  前記（Ａ）においては、吊り下げ棒に商品を吊り下げ後は奥にある商品を取り出すのに不便であるという問題がある。（Ｂ）においては吊り下げ棒に商品を吊り下げ後、奥にある商品は取り出せるが、紙に切り込みがあるため取り出す時に破れる可能性が高いという問題がある。また、吊り下用口券に形成した係止溝の先端の径をハンガー掛けの径よりも小径にしたことで引っ張り荷重の分散は難しい。（Ｃ）においてはプラスチック製フック材料費と取り付加工費が発生し高価になる。生産工程も増え生産性にも問題がある。【０００５】  これらの問題に鑑み特許文献１の吊り下用口券は、（Ａ）の課題において、吊り下げ用口券は板紙を二つ折りにし、折り曲げ部縁に至る切込みを切設する実施例が開示されている。しかし、前記（Ａ）の課題において、折り曲げ部の上縁近くに至る切込みを入れることで吊下げ強度が下がり重量のある商品には不向きである。また、特許文献１は、（Ｂ）の課題において、吊り下げ用口券に形成した略三形状の係止溝の先端の径をハンガー掛けの径よりも小径にしている。しかし、（Ｂ）の課題においては、係止溝をハンガー掛けの径より小径にすることで引っ張り荷重を分散させることが可能なのか疑問である。【０００６】  本考案は、前記従来の課題を解決するためになされたものであり、強度のある安価な紙製吊り下げ口紙を提供することを目的とするものである。
【課題を解決するための手段】
【０００７】  本発明の紙製吊り下げ口紙は、小売り店頭で靴下等の商品を吊り下げる紙製吊り下げ口紙であって、前記紙製吊り下げ口紙は、商品を前面と背面から保持する前面保持紙片及び背面保持紙片からなる保持紙片と、前記保持紙片の前面保持紙片と背面保持紙片を連結する吊通紙片からなり、前記吊通紙片は吊通紙片の長手方向に対して交差する方向に三本の平行な折目線を形成し、前記折目線の両側の四枚の吊通紙片の各片に、一側へ開口した吊通溝が切り欠き形成され、前記三つの折目線を順次折り曲げると共に、四枚の吊通紙片を糊着して四つの吊通溝を重ね合わせて一つの吊溝とすることを特徴とする。
【考案の効果】
【０００８】  本考案は、前記構成により、一枚の板紙を同方向に二回折りたたみ、同時に二回糊着したもので四重の吊り紙片を有することにより強度のある安価な吊り下げ口紙を提供できる。
【図面の簡単な説明】
【０００９】
【図１】本考案の紙製吊り下げ口紙の展開平面図である。
【図２】紙製吊り下げ口紙に第一回目糊着部を斜線で示した説明図である。
【図３】紙製吊り下げ口紙に第二回目糊着部を斜線で示した説明図である。
【図４】紙製吊り下げ口紙の完成図である。
【図５】紙製吊り下げ口紙の使用状態図である。
【考案を実施するための形態】
【００１０】  以下に、本考案を実施するための形態に係る紙製吊り下げ口紙の一実施について、図１〜５に基づき詳しく説明する。なお、本考案の紙製吊り下げ口紙１の素材は、一枚の板紙２の素材からなり、折りたたむと同時に糊着して形成され、靴下等の商品を簡易に保持することができる。しかも、リサイクル可能となる包装資材とするため、素材は板紙２を使用する。
【実施例】
【００１１】  図１は、本考案の紙製吊り下げ口紙の展開平面図、図２は、紙製吊り下げ口紙に第一回目糊着部を斜線で示した説明図、図３は、紙製吊り下げ口紙の第二回目折線の線と線が重なり、第二回目糊着部を斜線で示した説明図、図４は、紙製吊り下げ口紙の完成図、図５は、紙製吊り下げ口紙の使用状態図である。【００１２】  まず、紙製吊り下げ口紙１の板紙２について説明する。板紙２は、一端側に略正方形状の前面保持紙片３が、他端側に略長方形状の背面保持紙片４を備え、前面保持紙片３と背面保持紙片４とにより、小売り店頭で展示する際の靴下等を保持する保持紙片５となる。前記前面保持紙片３には商標名や商品写真等が印刷され、背面保持紙片４には商品の寸法や材質等が印刷されている。なお、背面保持紙片４の長さは、前面保持紙片３の長さより最小２０ｍｍ長くする。口紙の特性として前面保持紙片３より背面保持紙片４への説明文が多いことによる。【００１３】  前記前面保持紙片３と背面保持紙片４は、吊通紙片６により連結されている。前記吊通紙片６は、この吊通紙片６の長手方向に対して交差する方向に三本の平行な第１、第２、第３の折目線７、８，９が形成されている。前記折目線７、８，９の両側に、第１、第２、第３、第４の吊通紙片１０，１１，１２，１３を備え、各片１０，１１，１２，１３に、一側へ開口した第１、第２、第３、第４の吊通溝１４，１５，１６，１７が切り欠き形成されている。前記第１、第２、第３の三つの折目線７、８，９を順次折り曲げると共に糊着して第１、第２、第３、第４の四つの吊通溝１４，１５，１６，１７を重ね合わせて一つの吊溝１８とする。前面保持紙片３と第１の吊通紙片６の隣接部分に商品の厚みに応じたマチ紙片１９が設けられている。【００１４】  次に、紙製吊り下げ口紙１の製造方法について説明する。先ず、図２の斜線で示すように、第１、第２の吊通紙片１０，１１の裏面側に糊を塗布する。そして、前記第２の折目線８を中心にして、吊通紙片６を谷折れ（谷折れとは、第２の折目線８を中心にして、図面の表面側が接触するように折り曲げることを言い、山折れとは逆の方向に折り曲げることをいう。）するように折り曲げて、第１、第２の吊通紙片１０，１１の裏面側を第３、第４の吊通紙片１２，１３の裏面側に糊着する。【００１５】  次に、図３に示すように、第１の折目線７及び第３の折目線９を中心にして、第２の吊通紙片１１と第３の吊通紙片１２を谷折れするように折り曲げる。この折り曲げた第２の吊通紙片１１の表面側に糊を塗布する。そして、図４に示すように、糊が塗布された第２の吊通紙片１１の表面側を第１の吊通紙片１０の表面側に折り曲げて糊着する。そして、最後に前面保持紙片３と第１の吊通紙片１０の隣接部分に形成されたマチ紙片１９の両側のマチ折曲げ線２０，２１を折り曲げて紙製吊り下げ口紙１が完成する。以上のようにして、板紙２を折り曲げて糊付けした紙製吊り下げ口紙１により、吊り下げ棒２２に吊り下げが可能な形となる。【００１６】  本考案の特徴は、第１、第２、第３、第４の吊通紙片１０，１１，１２，１３を前記のように折り曲げて四重に重ねて糊着することにより、第１、第２、第３、第４の吊通溝１４，１５，１６，１７が重ね合わされて丈夫な吊溝１８が形成される点である。なお、この吊通溝１４，１５，１６，１７の切り欠き部分の大きさは１ｍｍ以内の微調整が必要である。【００１７】前記紙製吊り下げ口紙１は、商品により方法は違うが、靴下２３の場合、前記前面保持紙片３と背面保持紙片４にピン穴を開け、靴下と共に糸若しくはナイロンピンで固定している。このように靴下２３等の商品は、本考案の紙製吊り下げ口紙１に保持され、ナイロンピン若しくは糸などで固定され、吊溝１８を介して陳列用の吊り下げ棒２２へ吊り下げる。前記のように、吊通紙片６は板紙２が四重に重ねられ、尚且つ糊着されているので現在多用されているプラスチックフックにも劣らない吊り下げ強度を持つ。しかも、同方向に折りたたみ糊着するので作業性もよく安価に提供できること、紙のみの使用なのでリサイクル可能な環境に優しい包装資材となる。
【符号の説明】
【００１８】１  紙製吊り下げ口紙
２  板紙
３  前面保持紙片
４  背面保持紙片
５  保持紙片
６  吊通紙片
７  第１の折目線
８  第２の折目線
９  第３の折目線
１０  第１の吊通紙片
１１  第２の吊通紙片
１２  第３の吊通紙片
１３  第４の吊通紙片
１４  第１の吊通溝
１５  第２の吊通溝
１６  第３の吊通溝
１７  第４の吊通溝
１８  吊溝
１９  マチ紙片
２０  マチ折曲げ線
２１  マチ折曲げ線
２２  吊り下げ棒
２３  靴下
【図１】
0003228942.tif 000003
【図２】
0003228942.tif 000004
【図３】
0003228942.tif 000005
【図４】
0003228942.tif 000006
【図５】
0003228942.tif 000007